【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】
インペラー組立体であって、
（ａ）中央ハブと、
（ｂ）該中央ハブに連結、固定された第１の補強裏板と、
（ｃ）該第１の補強裏板に連結、固定された、前記中央ハブ上に配置され積み重ねられた平行なディスクの列であって前記各ディスクが中央孔を有し該中央孔は前記ディスクの積み重ねで整列されて中央空洞を形成しまた前記ディスクが平行軸に沿って相互に間隔をおいて配置され配置され、該ディスクの周囲内で互いに連結されており、前記中央空洞はディスク構造によって中断されることなく前記ディスク周囲内と前記インペラー組立体の中央軸との間を伸びる、ディスク列と、
（ｄ）これにより、前記中央ハブの放射方向移動があるとき、流体が前記第２の補強裏板及び前記重ね合わされたディスク列の中央孔と前記ディスク間の間隙とを経て流動する、インペラー組立体。
【請求項２】さらに、前記中央ハブと、前記第１の補強裏板と、前記積み重ねられたディスク列とを連結、固定するための一連の連結ロッドを含む、請求項１に記載のインペラー組立体。
【請求項３】さらに、中央孔を有する一連のスペーサを含み、該スペーサは前記ディスクに連結、固定され、前記ディスク間に隙間を形成する、請求項１に記載のインペラー組立体。
【請求項４】
（ａ）請求項１に記載のインペラー組立体であって前記中央ハブがシャフトセクションとフランジセクションとを有するインペラー組立体と、
（ｂ）該インペラー組立体が収容されるハウジングであって前記インペラー組立体のための相補的表面を形成し、隙間が前記インペラー組立体と前記ハウジングとの間に形成され、高圧領域を規定し、前記ハウジングが入口ポートと出口ポートとを有する、ハウジングと、
（ｃ）前記ハウジング内に、前記インペラー組立体を保持しかつ支持するための前記中央ハブのシャフトセクションと密な関係で保持された軸受組立体であって、前記インペラー組立体が、流体を前記入口ポートから前記裏板の中央孔内及び前記ディスクに沿って引き、加圧下において前記出口ポートに進められる、軸受組立体とを含む、ポンプ。
【請求項５】
（ａ）請求項１に記載のインペラー組立体であって前記中央ハブがシャフトセクションとフランジセクションとを有する、インペラー組立体と、
（ｂ）該インペラー組立体が収容されるハウジングであって前記インペラー組立体のための相補的表面を形成し、隙間が前記インペラー組立体と前記ハウジングとの間に形成され、高圧領域を規定し、前記ハウジングが出口ポートを有する、ハウジングと、
（ｃ）前記ハウジングに取り付けられ、固定されたカバーであってカウルセクションを有し、該カウルセクションが入口ポートを有する、カバーと
（ｄ）前記ハウジング内に、前記インペラー組立体を保持しかつ支持するための前記中央ハブのシャフトセクションと密な関係で保持された軸受組立体であって、前記インペラー組立体が、流体を前記入口ポートから前記裏板の中央孔内にまた前記ディスクに沿って引き、前記流体が加圧下において前記出口ポートに推進されるように、放射方向へ駆動される、軸受組立体とを含む、ジェットポンプ。
【請求項６】
（ａ）請求項１に記載のインペラー組立体を収容する内部チャンバを形成するハウジングと、
（ｂ）前記中央ハブに結合されたシャフトと、
（ｃ）前記内部チャンバに流体を導入する少なくとも１つの流体入口と、
（ｄ）前記インペラ組立体の中央孔から流体の排出を許す少なくとも１つの流体出口と、
（ｅ）前記シャフトの回転運動に用いる装置とを含む、水力発電タービン。
【請求項７】
（ａ）請求項１に記載のインペラー組立体と、
（ｂ）該インペラー組立体が収容され、内部に前記インペラー組立体のための相補的表面を形成するハウジングであって、複数の入口を規定する複数の反転ノズルハウジングと出口ポートとを有する、ハウジングと、
（ｃ）複数の反転ノズルハウジング内に収容された複数の反転ノズルと、
（ｄ）前記複数の反転ノズルの位置が調整可能であるように前記反転ノズルに接続された制御機構と、
（ｅ）前記反転ノズルに接続された流体入口導管と、
（ｆ）前記インペラー組立体を保持しかつ支持するために前記ハウジング内に保持されかつ前記中央ハブのシャフトセクションに関して密に保持された軸受組立体であって、前記インペラー組立体が、前記反転ノズルから前記入口を経て前記インペラー組立体のディスクに沿って流れ、最後に前記出口ポートから放出される流体により放射方向へ駆動される、軸受組立体とを含む、流体タービン。
【請求項８】
（ａ）請求項１に記載のインペラー組立体を含むポンプであって、前記インペラー組立体を収容するハウジングは、前記インペラー組立体のための相補的表面を形成し、間隙が前記インペラー組立体と前記ハウジングとの間に形成され、高圧領域を規定し、前記ハウジングが入口ポートおよび出口ポートを有し、前記ハウジング内に、前記インペラー組立体を保持しかつ支持するための前記中央ハブの前記シャフトセクションと密な関係で軸受組立体が保持されており、前記インペラー組立体が流体を前記入口ポートから前記裏板の中央孔内にまた前記ディスクに沿って引き、加圧下で前記出口ポートへ推進する、ポンプと、
（ｂ）請求項１に記載のインペラー組立体を含む流体タービンであって、前記中央ハブはシャフトセクションとフランジセクションとを有し、前記インペラー組立体を収容するハウジングは前記インペラー組立体のための相補的表面を形成し、該ハウジングは複数の入口を提供する複数の反転ノズルハウジングを有し、前記ハウジングは、出口ポートと、前記反転ノズルハウジング内に収容された複数の反転ノズルと、該複数の反転ノズルの位置を調整するように該反転ノズルに結合された制御機構と、前記反転ノズルに接続された流体供給導管と、前記インペラー組立体を保持しかつ支持するための前記中央ハブのシャフトセクションと密な関係で前記ハウジング内に保持された軸受組立体であって前記インペラー組立体が前記流体が前記反転ノズルから前記流体供給導管を経て前記インペラー組立体を横切り、結果的に前記出口ポートから放出されることにより、放射方向に駆動される軸受組立体とを有する、流体タービンと、
（ｃ）前記ポンプの入口ポートに接続された流体受け入口導管を有する流体受けセクションであって、該流体受けセクションが前記流体タービンの排出ポートに接続された流体受け出口導管を有する、流体受けセクションと、
（ｄ）閉じたシステムが形成されるように前記ポンプの排出ポートと前記流体タービンの流体入口導管とを接続する高圧ラインであって、これにより、流体が前記流体受けセクションから前記流体受け入口導管と前記ポンプの入口ポートとを通して汲み上げられ、前記インペラー組立体により、前記ポンプの排出ポート外に前記高圧ラインを通して前記反転ノズルに対する前記流体入口へ駆動され、これにより、前記タービンのインペラー組立体が放射方向へ駆動され、前記流体は、該流体が連続的に再利用されるように、最終的に前記タービンの排出ポートと前記流体受け出口導管とを通して放出される、高圧ラインとを含む、タービン・トランスミッション。
【請求項９】
さらに、ハウジングであって、前記ディスク列を収容するに十分な容積の内部チャンバを形成し、前記ディスク列の外方周縁と前記ハウジングの内壁との間の隙間を維持するように寸法付けられたハウジングを含む、請求項１に記載のインペラー組立体。
【請求項１０】
前記ディスク列を形成する相互ディスク空間は、１６分の１から１インチである、請求項１に記載のインペラー組立体。
【請求項１１】
請求項１に記載のインペラー組立体を含むポンプであって、前記インペラー組立体は、流体入口導管と、前記排出流体の流れを方向付けるための方向付けるノズルの近傍に設けられた排出ポートとを有するハウジング内に配置されているポンプ。
【請求項１２】
平行に積み重ねられたディスクの列であって各ディスクが流動媒体を通して機械力を伝達すための中央孔を有するディスク列を含む装置において、前記ディスク列の前記中央孔を整列させて中央空洞を提供すること、該中央空洞の近傍位置で平行な前記ディスクを相互に連結することを含む、前記装置の改良。
【請求項１３】
請求項１に記載のインペラー組立体を収容するハウジングの流体入口ポートに流体を案内すること、前記インペラー組立体を回転させること、出口ポートを経て流体を解放することを含む、流体移動方法。
【請求項１４】
請求項１に記載のインペラー組立体を含むタービン。
【請求項１５】
請求項１に記載のインペラー組立体を含むタービントランスミッション。